(57)【要約】【課題】第三者による盗難や移動を防止する三脚を提供する。【解決手段】本発明は、基台（１０）に対して開閉自在に連結された３本の脚（２，３）を備える三脚（１，３０）であって、前記脚（２，３）の状態変化を検知する検知手段（１８，１９，３２，３３）と、前記検知手段（１８，１９，３２，３３）が前記脚（２，３）の状態変化を検知したときに、警告を発生可能な警告発生手段（１７）と、を備える。【選択図】図１
2009138848.tif 000002
【特許請求の範囲】
【請求項１】
基台に対して開閉自在に連結された３本の脚を備える三脚であって、
前記脚の状態変化を検知する検知手段と、
前記検知手段が前記脚の状態変化を検知したときに、警告を発生可能な警告発生手段と、
を備えることを特徴とする三脚。
【請求項２】
請求項１に記載の三脚であって、
前記検知手段は、前記脚の前記基台に対する開閉状態を検知可能であることを特徴とする三脚。
【請求項３】
請求項１に記載の三脚であって、
前記検知手段は、前記脚と地面との接触状態を検知可能であることを特徴とする三脚。
【請求項４】
請求項１〜３のいずれか１項に記載の三脚であって、
前記状態変化を検知したときに前記警告発生手段が前記警告を発生する警告発生モードと、前記警告発生手段が前記警告を発生しない警告解除モードとのいずれかを選択可能な選択部を有することを特徴とする三脚。
【請求項５】
請求項４に記載の三脚であって、
前記選択部は、前記三脚の前記基台に撮影装置が装着されている場合、前記警告解除モードを選択することを特徴とする三脚。
【請求項６】
基台に対して開閉自在に連結された３本の脚を備える三脚に装着可能な装着部と、
前記脚の状態変化を検知する検知手段と、
前記検知手段が前記脚の状態変化を検知したときに、警告を発生可能な警告発生手段と、
を備えることを特徴とする警告装置。
【発明の詳細な説明】
【技術分野】
【０００１】
本発明は、カメラ等の撮影装置の三脚及び警告装置に関するものである。
【背景技術】
【０００２】
従来、カメラで撮影を行う場合、手振れを防止するため三脚が使用される。この三脚には安定性確保や設置しにくい場所への設置を可能とする等の種々の工夫がなされている（例えば、特許文献１参照）。
【特許文献１】特開２００４−２２５７３９号公報
【発明の開示】
【発明が解決しようとする課題】
【０００３】
しかし、三脚は、撮影を行う時間に先立ってカメラの撮影場所に配置しておくことで、場所取りのために使用されることがある。この場合、撮影者は撮影場所に三脚を設置した後、その場を離れることがある。離れている間に、第三者により三脚が持ち去られ、また三脚が移動されることも考えられる。従来の三脚はそのような第三者による盗難や移動に対する対策はなされていない。
【０００４】
本発明の課題は、第三者による盗難や移動を防止可能な三脚を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、基台（１０）に対して開閉自在に連結された３本の脚（２，３）を備える三脚（１，３０）であって、前記脚（２，３）の状態変化を検知する検知手段（１８，１９，３２，３３）と、前記検知手段（１８，１９，３２，３３）が前記脚（２，３）の状態変化を検知したときに、警告を発生可能な警告発生手段（１７）と、を備えることを特徴とする三脚（１，３０）である。
請求項２に記載の発明は、請求項１に記載の三脚（１）であって、前記検知手段（１８，１９）は、前記脚（２，３）の前記基台（１０）に対する開閉状態を検知可能であることを特徴とする三脚（１）である。
請求項３に記載の発明は、請求項１に記載の三脚（３０）であって、前記検知手段（３２，３３）は、前記脚（２，３）と地面との接触状態を検知可能であることを特徴とする三脚（３０）である。
請求項４に記載の発明は、請求項１〜３のいずれか１項に記載の三脚（１，３０）であって、前記状態変化を検知したときに前記警告発生手段（１７）が前記警告を発生する警告発生モードと、前記警告発生手段が前記警告を発生しない警告解除モードとのいずれかを選択可能な選択部（２６）を有することを特徴とする三脚（１，３０）である。
請求項５に記載の発明は、請求項４に記載の三脚（１，３０）であって、前記選択部（２６）は、前記三脚（１，３０）の前記基台（１０）に撮影装置が装着されている場合、前記警告解除モードを選択することを特徴とする三脚（１，３０）である。
請求項６に記載の発明は、基台（１０）に対して開閉自在に連結された３本の脚（２，３）を備える三脚（１）に装着可能な装着部（４１）と、前記脚（２，３）の状態変化を検知する検知手段（４２，４３，４４）と、前記検知手段（４２，４３，４４）が前記脚（２，３）の状態変化を検知したときに、警告を発生可能な警告発生手段（４７）と、を備えることを特徴とする警告装置（４０）である。
なお、符号を付して説明した構成は、適宜改良してもよく、また、少なくとも一部を他の構成物に代替してもよい。
【発明の効果】
【０００７】
本発明によれば、第三者による盗難や移動を防止することができる。
【発明を実施するための最良の形態】
【０００８】
（第１実施形態）
以下、図面等を参照して、本発明の第１実施形態について説明する。図１〜図３は、本実施形態を示している。
【０００９】
図１は、本実施形態の三脚１を開脚して設置した状態の斜視図である。図２は、三脚１の３本の脚の内の１本の脚を閉脚した状態の斜視図である。なお、三脚１は、３本の脚を備えているが、３本の脚の内、１本は、見やすくするために図示を省略してある。
【００１０】
脚２及び３は、３段の脚部２ａ，２ｂ，２ｃ及び３ａ，３ｂ，３ｃをそれぞれ同一の軸線上に備えており、伸縮調整可能となっている。すなわち、第１段の脚部２ａ，３ａに対し、第２段の脚部２ｂ，３ｂはそれぞれ脚ロックナット４，５を介して連結され、第２段の脚部２ｂ，３ｂに対し、第３段の脚部２ｃ，３ｃはそれぞれ脚ロックナット６，７を介して連結されている。そして、脚ロックナット４，５を緩めることにより、第２段の脚部２ｂ，３ｂが第１段の脚部２ａ，３ａに対して軸方向に移動可能となってこの部分が伸縮可能となり、脚ロックナット６，７を緩めることにより、第３段の脚部２ｃ，３ｃが第２段の脚部２ｂ，３ｂに対して軸方向に移動可能となってこの部分が伸縮可能となる。第３段の脚部２ｃ，３ｃに先端部分には、石突き８，９が取り付けられている。石突き８，９は三脚１を接地させる際に、地面と接触して安定力を付与する。
【００１１】
脚２，３の上端部には、基台１０が支持されている。基台１０は、取付ブラケット１１と、取付ブラケット１１を昇降可能に貫通する昇降ロッド１２とを備えている。取付ブラケット１１は、第１段の脚部２ａ，３ａの上端部に取り付けられた取付軸２ｄ，３ｄを介して脚２，３に支持される。脚２，３は、取付軸２ｄ，３ｄを中心に回動し、この回動により三脚１の開脚及び閉脚がなされる。
【００１２】
取付ブラケット１１には上下方向に貫通する筒部１３が取り付けられている。昇降ロッド１２は、この筒部１３を貫通しており、高さ調整ナット１４を緩めることにより取付ブラケット１１に対して昇降する。昇降ロッド１２の上端部には、カメラ又は雲台を着脱自在に取り付けるための取付台１５が取り付けられている。
【００１３】
基台１０の筒部１３には、警報装置１７が取り付けられている。警報装置１７は、筒部１３よりも大径となっている円形ブロック状の本体部２０を備えており、本体部２０に警報発生部２１及びキー部２６が設けられている。又、本体部２０の外面には、３個のスイッチ１８，１９が突出するように配置されている。警報装置１７はその作動を制御する電子回路や作動電力を供給する電源を内蔵している。
【００１４】
スイッチ１８は脚２に対応し、スイッチ１９は脚３に対応するように本体部２０に配置される。この場合、図示を省略した脚に対してもスイッチが対応するように本体部２０に配置される。これらのスイッチ１８，１９は、リミットスイッチ等の接触式スイッチからなり、三脚１の閉脚によって脚２，３が閉じてスイッチ１８，１９に接触すると、スイッチ１８，１９が本体部２０内に押し込まれる。そして、いずれかのスイッチ１８，１９が押し込まれることにより、脚２，３が閉じた状態変化を検知する。なお、スイッチ１８，１９は平常状態においては、本体部２０から突出するように付勢されている。
【００１５】
警報発生部２１はいずれかのスイッチ１８，１９が脚２，３の閉脚を検知したときに、サイレン音やブザー音等の警報を発する。キー部２６はスイッチ１８，１９の押し込みがあったときに、警報発生部２１を作動させるか否かの切り替えを行う。
【００１６】
図３は本実施形態のブロック図を示し、検知手段２３と、警報装置１７とを備えている。検知手段２３のスイッチ１８，１９は脚２，３が閉じることにより本体部２０へ押し込まれる。チェック部２２はいずれかのスイッチ１８，１９の押し込みを検知し、この押し込みにより脚２，３が閉じたことを検知する。警報装置１７は、警報発生部２１及びキー部２６を備えている。
【００１７】
キー部２６は警報発生部２１が警報を発生する警報発生モードと、警報発生部２１が警報を発生しない警報解除モードのいずれかを選択することができる。又、本実施形態においては、基台１０にカメラが装着されているときのキー部２６への操作によって警報解除モードを選択することができる。これらの選択を行うため、キー部２６は回転操作が可能となっている。また、好ましくは、本実施形態の三脚は、基台１０にカメラが装着されているか否かを検知する装着検知部７１を有し、装着検知部７１により基台１０にカメラが装着されていると検知されたときは、キー部２６が警報発生モードだったとしても、キー部２６のキーの回転なしに警報解除モードに切替わる。また、本実施形態の三脚は、個々のカメラをメモリするメモリ部（図示せず）を有し、メモリ部にメモリされたカメラであるか否かにより、警告解除動作を異ならせてもよい。
例えば、本実施形態の三脚は、装着検知部１１がメモリ部にメモリされたカメラが基台１０に装着されたことを検知した場合には、警報解除モードに切替る。一方、装着検知部１１がメモリ部にメモリされていないカメラが基台１０に装着されたことを検知した場合には、警報解除モードに切替えない。
本実施形態の三脚は、メモリ部にメモリされていないカメラが基台１０に装着されても警報解除モードに切替わらないから、三脚の所有者ではない第三者がメモリ部にメモリされていないカメラを基台１０に装着しても警報が解除されず、三脚の盗難が防止される。
例えば、三脚は、有線通信、無線通信などでカメラから識別情報を取得して、基台１０に装着されたカメラがメモリ部にメモリされたカメラであるか否かを判断できる。例えば、カメラは、識別情報を送信する回路がカメラ内部に内蔵されていてもよいし、ストラップに取付けられていてもよい。
【００１８】
本実施形態において、撮影者は撮影に適した場所に三脚１を設置する。撮影前にその設置場所から離れる場合、撮影者はキー部２６を鍵によって回転操作し、スイッチ１８，１９の変化に対して警報装置１７が反応するようにしておく。この状態で、何者かが三脚１を持ち去ることを目的として、持ち運びに便利なように脚を閉じようとする。図２は、３本の脚のうちの１本の脚２を閉じようとした状態を示し、脚２に対応したスイッチ１８が脚２によって押されるため、スイッチ１８の状態が変化する。この状態変化は電気信号となって警報装置１７に出力される。警報装置１７のキー部２６が警報発生モードとなっている場合には、警報発生部２１が警報を発する。この警報によってその何者かは驚くとともに、周囲で撮影を控えている者も異常に気付く。三脚１を持ったままでは移動しにくいため、その何者かは三脚１を持ち去ることをあきらめる。これにより、三脚１が持ち去られたり、移動させられたりすることから免れることができる。
【００１９】
撮影者が基台１０にカメラを装着して撮影しているときは、キー部２６を操作して警報解除モードとしておくことができる。この状態で撮影場所を移動するために、脚２，３を閉じても、警報解除状態のため、警報発生部２１が警報を発生することがない。従って、撮影者による三脚１の持ち運びに支障となることがない。
【００２０】
本実施形態では、スイッチ１８，１９の状態が変化した際に三脚１の持ち主の携帯電話等に通知ができる機能を備えることができる。これにより、撮影から中座している持ち主が三脚１の異常を知り、三脚１を設置した場所に直ちに戻ることも可能となる。
【００２１】
以上、本実施形態によると、以下の効果を有する。
（１）三脚を撮影場所に設置し、キー部２６を警報発生モードに切り替えた状態で撮影者が三脚１から離れ、撮影者以外の何者かが持ち運びのために三脚１の脚２，３を閉じたとき、いずれかのスイッチ１８，１９が押されて状態変化が検知される。この検知により警報発生部２１が警報を発するため、何者かによる三脚１の持ち去りや移動を阻止することができる。
【００２２】
（２）カメラを基台１０に装着し、キー部２６を警報解除モードに切り替えると、三脚１を閉脚しても警報発生部２１が警報を発することがない。このため、撮影者による三脚１の持ち運びの支障となることがない。
【００２３】
（第２実施形態）
図４及び図５は、本発明の第２実施形態の三脚３０を示す。図中、第１実施形態と同一の部分は第１実施形態と同一の符号を付し、その説明は省略する。又、三脚３０は、３本の脚を備えているが、３本の脚の内、１本は、見やすくするために図示を省略してある。
【００２４】
それぞれの脚２，３の下端部には、石突き３２，３３が取り付けられている。石突き３２，３３は、三脚３０を撮影場所に設置するときに地面に接地する。本実施形態において、石突き３２，３３はスイッチとなっている。すなわち、石突き３２，３３は地面に接地したとき及び地面から持ち上げたときにおける第３段の脚部２ｃ，３ｃとの間の寸法が変化するようになっている。この寸法変化を検知することにより、脚２，３の状態変化を検知することができる。
【００２５】
図４は、石突き３２，３３を地面に接地した場合であり、第３段の脚部２ｃ，３ｃとの間が寸法ａとなる。図４は、三脚３０を持ち上げて石突き３２，３３を地面から離した場合であり、第３段の脚部２ｃ，３ｃとの間が寸法ａよりも大きな寸法ｂとなる（ｂ＞ａ）。すなわち、石突き３２，３３は、このような突出が可能なように付勢されており、三脚３０が地面から離れると、第３段の脚部２ｃ，３ｃから幾分、突出する。
【００２６】
石突き３２，３３は、リード線３５，３６を介して警報装置１７と接続されている。警報装置１７はその作動を制御する電子回路や作動電力を供給する電源を内蔵している。警報装置１７は石突き３２，３３の寸法変化を検知したときに警報を発する警報発生部２１と、キー部２６とを備えている。キー部２６は、警報発生部２１が警告を発生する警報発生モードと、警報発生部２１が警報を発生しない警報解除モードとをその回転操作によって選択することができる。又、基台１０にカメラが装着されているとき、キー部２６への操作によって警報解除モードを選択することができる。また、本実施形態は、図３を用いて説明した実施形態と同様に、メモリ部にメモリされたカメラであるか否かにより、警告解除動作を異ならせてもよい。
【００２７】
本実施形態において、撮影前に三脚３０の設置場所から離れる場合、撮影者はキー部２６を鍵によって回転操作し、石突き３２，３３の変化に対して警報装置１７が反応するようにしておく。このときにおける石突き３２，３３の第３段の脚部２ｃ，３ｃとの間隔は寸法ａである（図４参照）。この状態で、何者かが三脚３０を持ち去るために、三脚３０を持ち上げる。図５は三脚３０を持ち上げた状態であり、三脚３０を持ち上げると石突き３２，３３が接地状態から非接地状態となり、石突き３２，３３が下方に移動する。この移動によって石突き３２，３３と第３段の脚部２ｃ，３ｃとの間隔が寸法ｂとなり、寸法ａよりも大きくなる。この寸法変化によって石突き３２，３３の状態が変化する。石突き３２，３３の状態変化は、電気信号となってリード線３５，３６を介して警報装置１７に伝達される。警報装置１７では警報発生部２１が警報を発するため、何者かによる三脚３０の持ち去りや移動を阻止することができる。
【００２８】
本実施形態においても、基台１０にカメラを装着して撮影しているときは、キー部２６を操作して警報解除モードとしておくことができる。この状態で撮影場所を移動するために、三脚３０を持ち上げて石突き３２，３３を地面から離しても警報解除状態のため、警報発生部２１が警報を発生しない。従って、撮影者による三脚１の持ち運びに支障となることがない。又、石突き３２，３３の状態が変化した際に三脚１の持ち主の携帯電話等に通知ができる機能を備えることができる。これにより、撮影から中座している持ち主が三脚１の異常を知り、三脚１を設置した場所に直ちに戻ることも可能となる。また、本実施形態は、図３を用いて説明した実施形態と同様に、メモリ部にメモリされたカメラであるか否かにより、警告解除動作を異ならせてもよい。
【００２９】
以上、本実施形態によると、以下の効果を有する。
（１）三脚を撮影場所に設置し、キー部２６を警報発生モードに切り替えた状態で撮影者が三脚３０から離れ、撮影者以外の何者かが持ち運びのために三脚３０を持ち上げると、石突き３２，３３が下動して第３段の脚部２ｃ，３ｃとの間の寸法が変化して石突き３２，３３が状態変化する。これにより、警報発生部２１が警報を発するため、何者かによる三脚の持ち去りや移動を阻止することができる。
【００３０】
（２）カメラを基台１０に装着し、キー部２６を警報解除モードに切り替えると、三脚１を閉脚しても警報発生部２１が警報を発することがない。このため、撮影者による三脚３０の持ち運びの支障となることがない。
【００３１】
（第３実施形態）
図６及び図７は、本発明の第３実施形態を示した警告装置４０である。警告装置４０は、本体部４１と、本体部４１の外面から突出するスイッチ４２，４３，４４と、警報発生部４７とを備えている。
【００３２】
本体部４１は、リング状のブロック形状となっている。本体部４１の中心部分には貫通孔４６が形成されている。貫通孔４６は三脚１の筒部１３の外径よりも幾分大きな内径に形成されており、三脚１の筒部１３が貫通する。又、本体部４１は分割体４１ａ，４１ｂに２分割されている。分割体４１ａ，４１ｂは、ヒンジ部４５によって連結されており、ヒンジ部４５を中心に開閉可能となっている。ヒンジ部４５を閉じた状態では、警報発生部４７の近傍の合わせ部分に備えられたロック部（図示せず）によりロックされ、開かない状態にされる。
【００３３】
本体部４１には、ネジ孔４８，４９，５０が円の３等分位置に形成されている。ネジ孔４８，４９，５０は、リング状の本体部４１の中心部に向かうように半径方向に沿って形成されている。それぞれのネジ孔４８，４９，５０には、ネジ５１，５２，５３が螺合する。ネジ５１，５２，５３は、ネジ孔４８，４９，５０よりも幾分長くなっており、ネジ孔４８，４９，５０にねじ込まれた後はその先端部が貫通孔４６に突出する。そして、突出した先端部が三脚１の筒部１３に当接する。この当接により筒部１３を挟持するため、警告装置４０を三脚１に装着することができる。
【００３４】
スイッチ４２，４３，４４は、三脚１の脚２，３のそれぞれに対応するように本体部４１の外面から突出している。脚２，３が閉脚すると、脚２，３に対応したスイッチ４２，４３，４４が押されて本体部４１内に押し込まれる。この押し込みにより、脚２，３が閉じられたこと、すなわち脚２，３の状態変化を検知できる。
【００３５】
警報発生部４７は、本体部４１の外面に取り付けられる。警報発生部４７はスイッチ４２，４３，４４が脚２，３の状態変化を検知したときに警報を発する。警告装置４０は回転操作が可能なキー部（図示省略）を備えており、キー部を回転操作することにより警報発生部４７の警報発生モード及び警報解除モードの切り替えが可能となっている。警報発生モードとすることにより、不用意に脚２，３が閉じられたときに警報を発生するため何者かによる三脚の持ち去り及び移動を阻止することができる。一方、警報解除モードとすることにより、撮影者による脚２，３の閉じ作動時に警報が発生することがない。このため、撮影者による三脚の持ち運びに支障となることがない。
【００３６】
この実施形態では、ヒンジ部４５を中心にして分割体４１ａ，４１ｂを開いて、筒部１３を貫通孔４６内に挿入する。そして、分割体４１ａ，４１ｂを閉じ、ネジ５１，５２，５３をネジ孔４８，４９，５０にねじ込み、図６に示すようにその先端部を筒部１３の外面に当接させる。これにより、ネジ５１，５２，５３が筒部１３を挟持するため警告装置４０を三脚１に装着することができる。この装着状態により、上述したように三脚の持ち去りや移動を阻止することが可能となる。一方、ネジ５１，５２，５３を緩めて本体部４１開くことにより、警告装置４０を三脚１から取り外すことができる。
【００３７】
以上、本実施形態によると以下の効果を奏する。
（１）警告装置４０は、三脚１に対して装着可能となっているため、警告装置４０を三脚１と切り離すことができる。そして、警告装置４０と三脚１とを分離して持ち運んだり格納したりすることができ、持ち運びや格納が便利となる。
【００３８】
（２）三脚１と分離した状態では、異なった三脚に対しても警告装置４０を組み付けることができ、汎用性のある用い方が可能となる。
【００３９】
（変形形態）
以上、説明した実施形態に限定されることなく、以下に示すような種々の変形や変更が可能であり、それらも本発明の範囲内である。
（１）本実施形態では、警報発生部２１，４７が警報を発するが、警報に限らず、光を発してもよく、警報と光の双方を発してもよい。
（２）また、本実施形態では、キー部２６を鍵の差し込みによって切り替え操作しているが、赤外線を利用した非接触構造を用いてもよい。
（３）第１実施形態と第２実施形態とを合わせて実施してもよい。例えば、警報装置１７に三脚所有者に対する通知手段を内蔵しておき、第２実施形態での石突き３２，３３の変化状態を警報発生部２１で警報を発生させることなく、警報装置１７内の通知手段によって三脚所有者の携帯電話に通知する。そして、第１実施形態の開脚から閉脚に至る状態変化を警報発生部２１からの警報によって知らせるようにする。このようにすることにより、何者かが三脚を持ち上げたことを三脚所有者が知って三脚の設置場所に駆けつける。何者かが三脚を持ち上げた時点では警報が鳴らないから、次に持ち去りやすいように脚を閉脚しているところに三脚所有者は立ち会うことができる。そして、閉脚した時点で警報発生部２１が警報を発するため、周囲の人が異常に気づき、周囲の人と三脚所有者が協力して三脚を持ち去ろうとしたものを捕まえることができる。
なお、実施形態及び変形形態は、適宜組み合わせて用いることもできるが、詳細な説明は省略する。また、本発明は以上説明した実施形態によって限定されることはない。
【図面の簡単な説明】
【００４０】
【図１】本発明の第１実施形態の三脚を示す斜視図である。
【図２】本発明の第１実施形態の三脚の閉脚状態を示す斜視図である。
【図３】本発明の第１実施形態のブロック図である。
【図４】本発明の第２実施形態の三脚を示す斜視図である。
【図５】本発明の第２実施形態の三脚の持ち上げ状態を示す斜視図である。
【図６】本発明の第３実施形態の警告装置を示す平面図である。
【図７】本発明の第３実施形態の警告装置の装着状態を示す断面図である。
【符号の説明】
【００４１】
１，３０：三脚、２，３：脚、１０：基台、１７：警報装置、１８，１９：スイッチ、２１，４７：警報発生部、２６：キー部、３２，３３：石突き、４０：警告装置、４２，４３，４４：スイッチ
【図１】
2009138848.tif 000003
【図２】
2009138848.tif 000004
【図３】
2009138848.tif 000005
【図４】
2009138848.tif 000006
【図５】
2009138848.tif 000007
【図６】
2009138848.tif 000008
【図７】
2009138848.tif 000009